(57)【要約】      （修正有）【課題】落下防止と、この落下に纏わるトラブル解消を意図したイヤリングを提供する。【解決手段】宝飾部、宝飾部に設けた耳押え具で構成するイヤリングで、耳押え具には、イヤリングの脱落を防止し、かつ耳に添接される弾性を備えた耳引掛け具を設け、耳引掛け具には、化学発光具、電気等の発光体を装着する袋体の構造、又は汚れ防止、クッション性の確保等を図る緩衝材の構造、他の装飾具を係止するリングの構造等を備えた。【選択図】図１
0003146204.tif 000002
【実用新案登録請求の範囲】
【請求項１】
宝飾部と、この宝飾部に設けた耳押え具で構成するイヤリングであって、
この耳押え具には、前記イヤリングの脱落を防止し、かつ耳に添接される弾性を備えた耳引掛け具を設け、この耳引掛け具には、以下に示す何れかから選択された少なくとも一つの構造を備えていることを特徴としたイヤリングの構造。
（１）  二液混合形の化学発光具、電気等の発光体を装着可能な袋体の構造
（２）  汚れ防止、クッション性の確保等を図る接着方式の緩衝材の構造
（３）  他の装飾具を係止するリングの構造
（４）  防犯グッズ、ＧＰＳを係止するリングの構造
【請求項２】
請求項１の記載のイヤリングの構造であって、
前記耳引掛け具は、耳の後側に添接される形状とし、かつその基端に、二股状の係止部を設けた構造とすることを特徴としたイヤリングの構造。
【請求項３】
請求項１の記載のイヤリングの構造であって、
前記耳引掛け具は、弾性を備え、かつ耳付け根の形状に即した曲面形状とすることを特徴としたイヤリングの構造。
【請求項４】
請求項１の記載のイヤリングの構造であって、
前記耳引掛け具は、合金又は樹脂でなるスプリングで形成し、かつこのスプリングが、形状記憶機能を備えた構造とすることを特徴としたイヤリングの構造。
【考案の詳細な説明】
【技術分野】
【０００１】
本考案は、イヤリングの落下防止と、この落下に纏わるトラブル解消を意図したイヤリングの構造に関する。
【背景技術】
【０００２】
主として、女性が使用するイヤリングにおいて、このイヤリングの落下と、この落下によって、紛失が発生することは、間々ある。従って、これに対する構造、又は方法（手段）が要望される処である。そして、この要望を満足するような構造を、従来技術より列挙すると、下記に示した文献が散見される。以下、その概要を、説明する。
【０００３】
文献（１）は、実開平７−２３４１５号の「落下防止用ヘアピン付イヤリング」である。この考案は、耳引掛け具の螺杆に、ヘアピンを先端に有するチェーン等の連結具を取付けた構造であり、ヘアピンと、自身の髪を利用して、落下防止と、紛失防止が図れる特徴がある。
【０００４】
また文献（２）は、特開平３−２４７３０８号の「装飾物取付用耳枠」である。この発明は、耳枠本体と、この耳枠本体の自由端を連繋する貴金属製スプリングで構成し、前記耳枠本体が、外耳の付け根に確実に装着できること、また、顔の動き、又は身体の動きに対しても、落下することなく安定した装着ができる特徴がある。
【０００５】
さらに、文献（３）は、実用新案登録第３００８７８６号の「上下装飾付き耳かけイヤリング」である。この考案は、耳の付け根の外形に合わせたバネ材でなるリングと、このリングの上・下部に上・下部耳飾りを設けた構造であり、付け根の後ろから、やや締付けるように装着する。そして、上・下部耳飾りを介して、耳の上・下部を宝飾することを特徴とするとともに、付け根に引掛けた状態、かつ弾性的に装着することで、簡単な着脱と、落下防止が図れること、等を特徴とする。
【０００６】
尚、文献（４）は、実用新案登録第３０２５０８８号の「イヤリング用補助具」である。この考案は、前記文献（３）と略同じ構造と、特徴を有する。
【０００７】
【特許文献１】実開平７−２３４１５号
【特許文献２】特開平３−２４７３０８号
【特許文献３】実用新案登録第３００８７８６号
【特許文献４】実用新案登録第３０２５０８８号
【考案の開示】
【考案が解決しようとする課題】
【０００８】
前述した文献（１）〜（４）は、イヤリングの落下防止には、有効である。しかし、イヤリングの形態を維持しつつ、落下防止、及び／又は、このイヤリングの装着の優位性を確保するには、充分でないと考えられる。そして、また、イヤリングの装飾性（宝飾部の装飾性）を生かしつつ、このイヤリング以外での装飾性を達成するには、改良の余地が考えられる。尚、イヤリングの形態と、その装飾性を図りつつ、落下防止を意図する文献（１）は、ヘアピンを併用する構造であり、使用の際に、不都合があること、又はヘアピンを髪に装着する構造では、落下防止を確実に達成するには問題を残すこと、等が考えられる。
【課題を解決するための手段】
【０００９】
請求項１の考案は、イヤリングの形態を維持しつつ、落下防止、及び／又は、このイヤリングの装着の優位性を確保すること、又はイヤリングの装飾性（宝飾部の装飾性）を生かしつつ、このイヤリング以外での装飾性を達成すること、等を意図する。そして、また、請求項１の考案は、イヤリングにおいては、従来になく、かつ全く予想しなかった、機能と特徴を発揮できるイヤリングの構造を提案することを意図する。さらに、この請求項１の考案は、使用の容易性と、違和感なく装着できる脱落防止付イヤリングを提供することを意図する。
【００１０】
請求項１は、宝飾部と、この宝飾部に設けた耳押え具で構成するイヤリングであって、
この耳押え具には、前記イヤリングの脱落を防止し、かつ耳に添接される弾性を備えた耳引掛け具を設け、この耳引掛け具には、以下に示す何れかから選択された少なくとも一つの構造（一つの構造、又は複数の構造）を備えていることを特徴としたイヤリングの構造。
【００１１】
（１）  二液混合形の化学発光具、電気等の発光体を装着可能な袋体の構造
（２）  汚れ防止、クッション性の確保等を図る接着方式の緩衝材の構造
（３）  他の装飾具を係止するリングの構造
（４）  防犯グッズ、ＧＰＳを係止するリングの構造
請求項２・３の考案は、請求項１の目的を達成すること、この目的を達成するに最適な、耳引掛け具を提供することを意図する。
【００１２】
請求項２は、請求項１の記載のイヤリングの構造であって、
前記耳引掛け具の基端に、二股状の係止部を設けることを特徴としたイヤリングの構造である。
【００１３】
請求項３は、請求項１の記載のイヤリングの構造であって、
前記耳引掛け具は、弾性を備え、かつ耳付け根の形状に即した曲面形状とすることを特徴としたイヤリングの構造である。
【００１４】
請求項４の考案は、請求項１の目的を達成すること、この目的を達成するに最適で、かつ特異な構造の耳引掛け具を提供することを意図する。
【００１５】
請求項４は、請求項１の記載のイヤリングの構造であって、
前記耳引掛け具は、合金又は樹脂でなるスプリングで形成し、かつこのスプリングが、形状記憶機能を備えた構造とすることを特徴としたイヤリングの構造である。
【考案の効果】
【００１６】
請求項１の考案は、宝飾部と、宝飾部に設けた耳押え具で構成するイヤリングであって、
耳押え具には、イヤリングの脱落を防止し、かつ耳に添接される弾性を備えた耳引掛け具を設け、耳引掛け具には、以下に示す何れかから選択された少なくとも一つの構造を備えていることを特徴としたイヤリングの構造。
【００１７】
（１）  二液混合形の化学発光具、電気等の発光体を装着可能な袋体の構造
（２）  汚れ防止、クッション性の確保等を図る接着方式の緩衝材の構造
（３）  他の装飾具を係止するリングの構造
（４）  防犯グッズ、ＧＰＳを係止するリングの構造
従って、請求項１は、イヤリングの形態を維持しつつ、落下防止、及び／又は、このイヤリングの装着の優位性を確保できること、又はイヤリングの装飾性（宝飾部の装飾性）を生かしつつ、このイヤリング以外での装飾性を達成できること、等の特徴を有する。そして、また、請求項１は、イヤリングにおいては、従来になく、かつ全く予想しなかった、機能と特徴を発揮できるイヤリングの構造を提案できる実益がある。さらに、この請求項１は、使用の容易性と、違和感なく装着できる脱落防止付イヤリングを提供できる利点がある。
【００１８】
請求項２の考案は、請求項１の記載のイヤリングの構造であって、
耳引掛け具の基端に、二股状の係止部を設けることを特徴としたイヤリングの構造である。
【００１９】
請求項３の考案は、請求項１の記載のイヤリングの構造であって、
耳引掛け具は、弾性を備え、かつ耳付け根の形状に即した曲面形状とすることを特徴としたイヤリングの構造である。
【００２０】
従って、請求項２・３は、請求項１の目的を達成できること、この目的を達成するに最適な、耳引掛け具を提供できること等の特徴を有する。
【００２１】
請求項４の考案は、請求項１の記載のイヤリングの構造であって、
耳引掛け具は、合金又は樹脂でなるスプリングで形成し、かつスプリングが、形状記憶機能を備えた構造とすることを特徴としたイヤリングの構造である。
【００２２】
従って、請求項４は、請求項１の目的を達成できること、この目的を達成するに最適で、かつ特異な構造の耳引掛け具を提供できること等の特徴を有する。
【考案を実施するための最良の形態】
【００２３】
本考案の一例を説明する。
【００２４】
図面の説明をすると、図１はイヤリングの使用状態の全体模式図、図２−１は第一実施例であって、半割れ形状（弓状本体）の耳引掛け具の後方本体に化学発光具を装着したイヤリングの使用状態の要部模式図、図２−２は第一実施例の正面図、図２−３は化学発光具を装着する状態の順番を示した模式図、図２−４は第一実施例であって、半割れ形状の耳引掛け具の後方本体にパットを装着したイヤリングの構造の正面図、図２−５は第一実施例で、半割れ形状の耳引掛け具の後方本体に他の装飾品を装着したイヤリングの構造の正面図、図３−１は第二実施例であって、半割れ形状の耳引掛け具をイヤリングに着脱自在に装着したイヤリングの使用状態の要部模式図、図３−２は耳引掛け具をイヤリングに装着する過程を示した模式図、図３−３は第二実施例であって、耳引掛け具を示した正面図、図４−１は第三実施例であって、半割れ形状の耳引掛け具をイヤリングの支持体に一体的に設けたイヤリングの使用状態の要部模式図、図４−２は第三実施例の正面図、図５−１は第四実施例であって、半割れ形状の耳引掛け具をスプリングで構成した要部模式図、図５−２は第四実施例の正面図、図６−１は第五実施例であって、半割れ形状の耳引掛け具の係止部に他の装飾品を装着したイヤリングの使用状態の要部模式図、図６−２は第五実施例の正面図、図７−１は第六実施例であって、半割れ形状の耳引掛け具とイヤリングに、装飾チェーンを装着したイヤリングの使用状態の要部模式図、図７−２は第六実施例の正面図、図７−３は第六実施例の前方本体と後方本体をすべて装飾チェーンにした正面図、図８−１は第七実施例であって、環状形状の耳引掛け具の前方本体に、宝石を装着したイヤリングの使用状態の要部模式図、図８−２は第七実施例の正面図、図９−１は第八実施例であって、環状形状の耳引掛け具の前方本体に、他の装飾品を装着したイヤリングの使用状態の要部模式図、図９−２は第八実施例の正面図、である。
【００２５】
先ず、通常、使用される平均的なイヤリング１の構造と、使用方法を説明すると、このイヤリング１は、宝飾部１００と、耳押え具１０１で構成される。そして、この耳押え具１０１は、この宝飾部１００の裏面に設け、略Ｕ字形を呈し、かつ弾性を備えた支持体１０２、及びこの支持体１０２の他方折曲げ部１０２ｃに、この折曲げ方向に、略直交する開設した螺孔１０２ａ、並びにこの螺孔１０２ａに貫設した螺杆１０３、及びこの螺杆１０３の両端に設けた耳押え片１０４ａと調整釦１０４ｂで構成される。その装着の一例は、この支持体１０２の一方折曲げ部１０２ｂと、耳押え片１０４ａを、耳Ｅの耳たぶＥ１に添接し、調整釦１０４ｂの螺入を介して、この一方折曲げ部１０２ｂと、耳押え片１０４ａで、耳たぶＥ１を、挾持することで、当該耳たぶＥ１に、イヤリング１が装着され（取付けられ）、かつその宝飾部１００が、耳たぶＥ１の表側（顔Ｈの外側、又はこの外側の適宜位置等）に装飾される。以上の装着及び／又は装飾は、従来の使用方法に準ずる。
【００２６】
そして、図２−１〜図２−５に示した第一実施例では、望ましくは（以下、省略する）、耳引掛け具２が半割れ形状（耳付け根Ｅ２の外形（人の背中側）に即した略半環状形態）である構造において、この耳引掛け具２は、耳付け根Ｅ２に優しく、かつその略全体に添接するように係止（装着）される。そして、この耳引掛け具２には、その基端側に環体３（紐、チェーン、ワイヤ、環体、フック等の連結具）を設け、この環体３を利用して、イヤリング１の螺杆１０３に取付ける。これによって、調整釦１０４ｂを操作しても、環体３内を、螺杆１０３が前進後退できるので、イヤリング１の装着には、何ら問題が発生しないことと、容易かつ従来と同様なイヤリング１の使用及び／又は装着が図れる。換言すると、この耳引掛け具２は、螺杆１０３に移動可能に取付けられる。また、このイヤリング１の装着時には、耳引掛け具２は、耳付け根Ｅ２の後側（人の背中側）形状に則した曲面形状と、可撓性（弾性）の材質等により、この耳付け根Ｅ２に優しく、かつその略全体に添接するように係止される。図中２００は、耳引掛け具２の上方の自由端に設けた係止部で、この係止部２００は、基端より耳付け根Ｅ２を経由した耳引掛け具２と連接して設けられ、耳Ｅの上部に引掛け係止される。そして、以上のような係止、又は、係止部２００を介して、耳引掛け具２は、耳Ｅに、確実、かつフィットした状態で取付けられる。尚、このイヤリング１の構造は、原則として、各実施例に共通する。
【００２７】
そして、また、この第一実施例では、耳引掛け具２に付帯構造が設けられているので、以下、説明する。図２−１〜図２−３は、二液混合形の化学発光具５を設ける構造であり、耳引掛け具２の後面本体２ａに設けた望ましくは透明、穴開き形態の透過性の袋体６内に、この化学発光具５を抜差し自在に設ける。そして、この化学発光具５（「イ」）を、図２−３に示すように、折曲げ（「ロ」）、二液を混合して発光された後（「ハ」）に、袋体６内に差込み（「ニ」）、装飾具として利用する。従って、パーティ、結婚式、催し場所等において、このイヤリング１との二重の装飾（宝飾）として有効である。尚、使用後は、化学発光具５を取除くことで、通常のイヤリング１として利用できる。また、化学発光具５に対して、袋体６を短くすることで、装飾効果及び／又は取扱いの有効性の効果が図れる。次に、図２−４は、後方本体２ａの内側（耳付け根Ｅ２側）にパット７（緩衝体）を、取付け、又は取外し自在に設けた構造であり、耳引掛け具２の汗、その他の理由による汚れ防止、又は、クッション性、並びに品質の確保等を図る。また、図２−５は、後方本体２ａの適所に、係止環８（リング）を設けた（一体、又は取付け等の構造で、他の各構造も同じ）構造であり、この係止環８に、他の装飾品１０を取付けて、前述と同様に二重の装飾を、楽しむ構造である。尚、この耳引掛け具２の単独使用（単独の装飾）で、この係止環８に、他の装飾品１０、化学発光具５、又は図示しない電気等の発光体を取付けで、単独での楽しみ方も可能である（他の実施例も同じ）。そして、この実施例の図２−１〜図２−３では、化学発光具５であり、周囲・すれ違いの人、又は視認可能な人の全てに対して、アピールできる特徴がある。また、図２−５では、後方、又は後方近傍の人に対して、アピールできる利点がある。この例における化学発光具５と、パット７では、耳引掛け具２が半割れ形状を備えた構造に限定されず、後述する耳引掛け具２が環状形状を備えた構造でも、採用できる。
【００２８】
次に、図３−１〜図３−３に示した第二実施例では、耳引掛け具２が半割れ形状を備えた構造であって、その基端（一方の端）に、二股形状の引掛け２０１を設けた例であり、この引掛け２０１を、螺杆１０３等に引掛けて、イヤリング１に耳引掛け具２を取付ける構造であり、イヤリング１の脱落防止、前述の二重の装飾・単独の装飾を、楽しむとき、又は簡便な使用を図る等の必要時に、重宝する。尚、この引掛け２０１は、螺杆１０３の何れの箇所でもよいが、望ましくは、支持体１０２と調整釦１０４ｂの間とし、イヤリング１取付けの邪魔とならない箇所が望ましい。その他の構造は、前述の第一実施例に準ずる。この例では、自由な取付けと、取外しができる特徴がある。
【００２９】
続いて、図４−１、図４−２に示した第三実施例では、耳引掛け具２が半割れ形状を備えた構造において、この耳引掛け具２を、イヤリング１の支持体１０２より延設して設けた例であり、本考案の他の実施例、並びに従来例になかった、得意な構造とすること、また、イヤリング１の略完全な脱落防止を図ること、等を意図する。そして、その他の構造は、前述の第一実施例〜第二実施例に準ずる。また、この例では、場合により、耳引掛け具２が環状形状を備えた構造に採用することも可能である。
【００３０】
さらに、図５−１、図５−２に示した第四実施例では、耳引掛け具２が半割れ形状の構造、又は図示しないが、環状形状の構造を、合金又は樹脂でなるスプリング２０２で形成し、かつスプリング２０２が、形状記憶機能を備えた構造とする。この例では、スプリング２０２の可撓性と、フィット性、長さ調整、又は形状記憶機能等を利用し、耳引掛け具２は、耳Ｅの耳付け根Ｅ２に、柔軟で、確実に、しかもフィットした状態で取付けられること、イヤリング１の脱落防止が図れること、取付け根Ｅ２への接触を少なくし、通気性が高い状態での装着が図れること、等の特徴がある。また、スプリング２０２の意外性及び／又は形状記憶機能と、本考案の他の実施例、並びに従来例になかった、得意な構造を楽しむことができること、等の実益がある。尚、その他の構造は、前述の第一実施例〜第三実施例に準ずる。
【００３１】
また、図６−１、図６−２に示した第五実施例では、耳引掛け具２が、半割れ形状で係止部２００を備えた構造であって、この係止部２００に、他の装飾品１０を設ける構造であり、正面・すれ違いの人、又は正面近傍の人（対峙関係の人）に、強くアピールできる特徴がある。尚、その他の構造は、前述の第一実施例〜第四実施例に準ずる。
【００３２】
尚、図７−１、図７−２に示した第六実施例では、耳引掛け具２が半割れ形状の構造であって、この耳引掛け具２の上端部とイヤリング１の一方折曲げ部１０２ｂとの間（前方本体２ｂ）に装飾チェーン１１を掛け渡し設ける構造であり、正面・すれ違いの人、又は正面近傍の人（対峙関係の人）に、強くアピールできる特徴がある。また、図７−３に示したように、第六実施例において、前方本体２ｂと後方本体２ａ（耳引掛け具２）をすべて装飾チェーン１１にすることも可能である。尚、その他の構造は、前述の第一実施例〜第五実施例に準ずる。
【００３３】
そして、また、図８−１、図８−２に示した第七実施例では、耳引掛け具２が環状形状を備えた構造であって、その前方本体２ｂに、宝石１２（装飾品の一例である）を設ける構造であり、正面・すれ違いの人、又は正面近傍の人（対峙関係の人）に、強くアピールできる特徴がある。尚、その他の構造は、前述の第一実施例〜第六実施例に準ずる。
【００３４】
また、図９−１、図９−２に示した第八実施例では、耳引掛け具２が環状形状を備えた構造の前方本体２ｂに、他の装飾品１０を設ける構造であり、正面・すれ違いの人、又は正面近傍の人（対峙関係の人）に、強くアピールできる特徴がある。尚、その他の構造は、前述の第一実施例〜第七実施例に準ずる。
【００３５】
また、図１０−１、図１０−２に示した第九実施例では、耳引掛け具２が環状形状を備えた構造の前方本体２ｂに、他の装飾品１０を設け、後方本体２ａ（耳引掛け具２）を装飾チェーン１１にした構造であり、使用する人の耳の大きさ・形状・好みに合わせて、前記装飾チェーン１１の数を増減することで、長さ調整を可能とする。また、装飾チェーン１１の係脱で長さ調整も可能である。尚、後方本体２ａ（耳引掛け具２）は装飾チェーン１１と形状記憶合金又は形状記憶のスプリング（図示せず）で構成することも可能である。これにより、正面・すれ違いの人、又は正面近傍の人（対峙関係の人）に、強くアピールできる特徴がある。尚、その他の構造は、前述の第一実施例〜第八実施例に準ずる。
【００３６】
そして、図示しないが、耳引掛け具２及び／又は係止環８には、防犯グッズ、ＧＰＳ（位置検知具）等を設けることで、例えば、犯罪・災害・人災・倒壊等の内外的被害、迷子保護と、痴呆症被害、その他の被害回避用等としての活用も有益と考えられる。尚、耳引掛け具２は、長さ調整として、後方本体２ａを工夫し、例えば、入れ子式、リンク式、螺合式、差替え式等とすることも可能である。
【図面の簡単な説明】
【００３７】
【図１】図１はイヤリングの構造の使用状態の全体模式図
【図２−１】図２−１は第一実施例であって、半割れ形状（弓状本体）の耳引掛け具の後方本体に化学発光具を装着したイヤリングの使用状態の要部模式図
【図２−２】図２−２は第一実施例の正面図
【図２−３】図２−３は化学発光具を装着する状態の順番を示した模式図
【図２−４】図２−４は第一実施例であって、半割れ形状の耳引掛け具の後方本体にパットを装着したイヤリングの構造の正面図
【図２−５】図２−５は第一実施例で、半割れ形状の耳引掛け具の後方本体に他の装飾品を装着したイヤリングの構造の正面図
【図３−１】図３−１は第二実施例であって、半割れ形状の耳引掛け具をイヤリングに着脱自在に装着したイヤリングの使用状態の要部模式図
【図３−２】図３−２は耳引掛け具をイヤリングに装着する過程を示した模式図
【図３−３】図３−３は第二実施例であって、耳引掛け具を示した正面図
【図４−１】図４−１は第三実施例であって、半割れ形状の耳引掛け具をイヤリングの支持体に一体的に設けたイヤリングの使用状態の要部模式図
【図４−２】図４−２は第三実施例の正面図
【図５−１】図５−１は第四実施例であって、半割れ形状の耳引掛け具をスプリングで構成した要部模式図
【図５−２】図５−２は第四実施例の正面図
【図６−１】図６−１は第五実施例であって、半割れ形状の耳引掛け具の係止部に、他の装飾品を装着したイヤリングの使用状態の要部模式図
【図６−２】図６−２は第五実施例の正面図
【図７−１】図７−１は第六実施例であって、半割れ形状の耳引掛け具とイヤリングに、装飾チェーンを装着したイヤリングの使用状態の要部模式図
【図７−２】図７−２は第六実施例の正面図
【図７−３】図７−３は第六実施例の前方本体と後方本体をすべて装飾チェーンにした正面図
【図８−１】図８−１は第七実施例であって、環状形状の耳引掛け具の前方本体に、宝石を装着したイヤリングの使用状態の要部模式図
【図８−２】図８−２は第七実施例の正面図
【図９−１】図９−１は第八実施例であって、環状形状の耳引掛け具の前方本体に、他の装飾品を装着したイヤリングの使用状態の要部模式図
【図９−２】図９−２は第八実施例の正面図
【図１０−１】図１０−１は第九実施例であって、環状形状の耳引掛け具の前方本体に、他の装飾品を装着し、後方本体を装飾チェーンにしたイヤリングの使用状態の要部模式図
【図１０−２】図１０−２は第九実施例の正面図
【符号の説明】
【００３８】
１            イヤリング
１００        宝飾部
１０１        耳押え具
１０２        支持体
１０２ａ      螺孔
１０２ｂ      一方折曲げ部
１０２ｃ      他方折曲げ部
１０３        螺杆
１０４ａ      耳押え片
１０４ｂ      調整釦
２            耳引掛け具
２ａ          後方本体
２ｂ          前方本体
２００        係止部
２０１        引掛け
２０２        スプリング
３            環体
５            化学発光具
６            袋体
７            パット
８            係止環
１０          他の装飾品
１１          装飾チェーン
１２          宝石
Ｅ            耳
Ｅ１          耳たぶ
Ｅ２          耳付け根
Ｈ            顔
【図１】
0003146204.tif 000003
【図２−１】
0003146204.tif 000004
【図２−２】
0003146204.tif 000005
【図２−３】
0003146204.tif 000006
【図２−４】
0003146204.tif 000007
【図２−５】
0003146204.tif 000008
【図３−１】
0003146204.tif 000009
【図３−２】
0003146204.tif 000010
【図３−３】
0003146204.tif 000011
【図４−１】
0003146204.tif 000012
【図４−２】
0003146204.tif 000013
【図５−１】
0003146204.tif 000014
【図５−２】
0003146204.tif 000015
【図６−１】
0003146204.tif 000016
【図６−２】
0003146204.tif 000017
【図７−１】
0003146204.tif 000018
【図７−２】
0003146204.tif 000019
【図７−３】
0003146204.tif 000020
【図８−１】
0003146204.tif 000021
【図８−２】
0003146204.tif 000022
【図９−１】
0003146204.tif 000023
【図９−２】
0003146204.tif 000024
【図１０−１】
0003146204.tif 000025
【図１０−２】
0003146204.tif 000026